(57)【要約】  【課題】カメラ付室外子機や防犯カメラで撮像した画像等の特定の画像を、ユーザが閲覧中の情報端末に表示させる技術を提供する。  【解決手段】プロキシサーバ１は、モニタ付室内親機２１から受信した通知情報に従ってイベントの発生を監視する。そして、所定のいずれかのイベントが発生したならば、ホームネットワークサーバ３１から取得して情報端末３２〜３４に配信中の映像コンテンツに、モニタ付室内親機２１から取得した特定映像信号を挿入する。これにより、カメラ付室外子機による呼出し、防犯センサによる異常検出等の所定のイベントが発生した場合に、ホームネットワークサーバ３１とは別の画像リソースであるモニタ付室内親機２１から取得した特定映像信号を、ホームネットワークサーバ３１から取得した映像コンテンツを配信中の情報端末３２〜３４に表示させる。【選択図】図１
2011188384.tif 000002
【特許請求の範囲】
【請求項１】
代理サーバを用いて、画像配信サーバから取得した画像データの配信先に、当該画像配信サーバとは別の画像リソースから取得した画像データを配信する画像配信方法であって、
前記代理サーバは、
イベントに関する通知情報を取得し、当該通知情報に従ってイベントを監視し、
所定のいずれかのイベントの発生を検知した場合に、当該イベントに対応付けられている配信先に、前記画像配信サーバから取得した画像データを配信中ならば、当該画像配信サーバから取得した画像データに、前記別の画像リソースから取得した画像データを挿入し、当該イベントに対応付けられている配信先に、前記画像配信サーバから取得した画像データを配信中でないならば、前記別の画像リソースから取得した画像データが添付された電子メールを所定の宛先に送信し、
前記発生したイベントの終了を検知した場合、当該イベントに対応付けられている配信先に、前記画像配信サーバから取得した画像データを配信中ならば、前記画像配信サーバから取得した画像データへの、前記別の画像リソースから取得した画像データの挿入を停止する
ことを特徴とする画像配信方法。
【請求項２】
情報端末の要求に従い、画像配信サーバから画像データを取得して、当該取得した画像データを当該情報端末に配信する代理サーバであって、
イベントに関する通知情報を受け付ける通知情報受付手段と、
前記画像配信サーバとは別の画像リソースから出力された画像データを受け付ける特定画像データ受付手段と、
前記通知情報受付手段により受け付けた前記通知情報に従ってイベントを検知するイベント検知手段と、
前記イベント検知手段により所定のイベントの発生が検知された場合に、前記情報端末に配信する前記画像配信サーバから取得した画像データに、前記特定画像データ受付手段により前記別の画像リソースから受け付けた画像データを挿入する特定画像データ挿入手段と、を有する
ことを特徴とする代理サーバ。
【請求項３】
請求項２に記載の代理サーバであって、
前記情報端末毎に、当該情報端末を、前記別の画像リソースから受け付けた画像データの配信先とするイベント各々に対応付けられてアドレス情報が記憶された端末情報記憶手段をさらに有し、
前記特定画像データ挿入手段は、
前記イベント検知手段により前記所定のイベントの発生が検知された場合に、当該イベントに対応付けられて前記端末情報記憶手段に記憶されている前記アドレス情報により特定される前記情報端末に配信する、前記画像配信サーバから取得した画像データに、前記特定画像データ受付手段により前記別の画像リソースから受け付けた画像データを挿入する
ことを特徴とする代理サーバ。
【請求項４】
請求項２または３に記載の代理サーバであって、
前記特定画像データ挿入手段は、
前記イベント検知手段により前記所定のイベントの終了が検知された場合に、前記画像配信サーバから取得した画像データへの、前記特定画像データ受付手段により前記別の画像リソースから受け付けた画像データの挿入を停止する
ことを特徴とする代理サーバ。
【請求項５】
請求項２ないし４のいずれか一項に記載の代理サーバであって、
前記イベント検知手段により前記所定のイベントの発生が検出された場合に、前記画像配信サーバの画像データを配信中の前記情報端末がないならば、前記特定画像データ受付手段により前記別の画像リソースから受け付けた画像データが添付された電子メールを所定の宛先に送信する特定画像メール送信手段をさらに有する
ことを特徴とする代理サーバ。
【発明の詳細な説明】
【技術分野】
【０００１】
本発明は、画像配信サーバの代理サーバに関し、特に、代理サーバを用いて、画像配信サーバからの画像データの配信先に、画像配信サーバとは別の画像リソースからの画像データを送信する技術に関する。
【背景技術】
【０００２】
特許文献１には、通信装置のみでは対応できない機能を、該当する機能を有する他の装置で実行させることが可能な通信システムが開示されている。この通信システムにおいて、ホームゲートウェイは、装置の有する機能情報をＮＡＰＴＲ（Ｎａｍｉｎｇ  Ａｕｔｈｏｒｉｔｙ  Ｐｏｉｎｔｅｒ  Ｒｅｓｏｕｒｃｅ）レコードに格納し、通信装置（例えばＩＰ電話機）からの、ＥＮＵＭ（Ｔｅｌｅｐｈｏｎｅ  Ｎｕｍｂｅｒ  Ｍａｐｐｉｎｇ）機能を利用した内線番号の問い合わせに対して、この内線番号が割り当てられた装置の機能を応答する。通信装置は、内線番号の問い合わせによりホームゲートウェイから取得した機能を選択して、この内線番号が割り当てられた装置に実行させる。
【先行技術文献】
【特許文献】
【０００３】
【特許文献１】特開２００５−１９２０８６号公報
【発明の概要】
【発明が解決しようとする課題】
【０００４】
特許文献１に記載の技術によれば、例えば、カメラ付室外子機およびモニタ付室内親機からなるテレビインターホンシステムにおいて、モニタ付室内親機の近くに人がおらず、カメラ付室外子機からの呼出しに対してモニタ付室内親機で対応できない場合に、このカメラ付室外子機との音声通話を通信装置に実行させるとともに、このカメラ付室外子機で撮像した画像の表示をテレビに実行させることができる。
【０００５】
しかし、特許文献１に記載の技術では、カメラ付室外子機が、ホームゲートウェイ、通信装置およびテレビと同じネットワーク（宅内ＬＡＮ）に接続されていることが前提となる。また、通信装置あるいはカメラ付室外子機にＥＮＵＭクライアントを実装しなければならない。
【０００６】
既存のテレビインターホンシステムでは、通常、カメラ付室外子機とモニタ付室内親機とが各社独自のインターフェースで接続されており、その他にモニタ付室内親機が、外部接続端子として、ＲＳ−２３２Ｃ等の制御信号用の接続端子と、ＲＣＡ端子等の映像・音声用の出力端子とを備えているに過ぎない。このような既存のテレビインターホンシステムには、特許文献１に記載の技術を適用できない。
【０００７】
また、特許文献１に記載の技術では、カメラ付室外子機で撮像した画像をテレビに表示させるために、ユーザが通信装置にテレビの内線番号を入力して、ホームゲートウェイに内線番号の問い合わせをしなければならない。例えば、ユーザが、テレビ番組に熱中していて、カメラ付室外子機からの呼出しがあったことに気付かなかった場合は、カメラ付室外子機で撮像した画像をテレビに表示させることができない。
【０００８】
本発明は上記事情に鑑みてなされたものであり、本発明の目的は、カメラ付室外子機や防犯カメラで撮像した画像等の特定の画像を、ユーザが閲覧中の情報端末に表示させる技術を提供することにある。
【課題を解決するための手段】
【０００９】
上記課題を解決するために、本発明は、情報端末の要求に従い、画像配信サーバから画像データを取得して、取得した画像データをこの情報端末に配信する代理サーバに、イベントに関する通知情報を取得するためのインターフェースと、画像配信サーバとは別の画像リソースからの画像データを取得するためのインターフェースとを設ける。そして、代理サーバに、取得した通知情報に基づいてイベントを検知させ、所定のいずれかのイベントの発生を検知した場合に、画像配信サーバから取得して情報端末に配信する画像データに、別の画像リソースから取得した画像データを挿入させる。
【００１０】
例えば、本発明は、情報端末の要求に従い、画像配信サーバから画像データを取得して、当該取得した画像データを当該情報端末に配信する代理サーバであって、
イベントに関する通知情報を受け付ける通知情報受付手段と、
前記画像配信サーバとは別の画像リソースから出力された画像データを受け付ける特定画像データ受付手段と、
前記通知情報受付手段により受け付けた前記通知情報に従って、所定のイベントを検知するイベント検知手段と、
前記イベント検知手段により前記所定のイベントの発生が検知された場合に、前記画像配信サーバから取得して前記情報端末に配信する画像データに、前記特定画像データ受付手段により前記別の画像リソースから受け付けた画像データを挿入する特定画像データ挿入手段と、を有する。
【発明の効果】
【００１１】
本発明によれば、カメラ付室外子機による呼出し受付、防犯センサによる異常検出等の所定のイベントが発生した場合に、カメラ付室外子機、防犯カメラ等の、画像配信サーバとは別の画像リソースから取得した画像データを、画像配信サーバから取得した画像データの配信先に表示させることができる。
【図面の簡単な説明】
【００１２】
【図１】図１は、本発明の一実施の形態に係るプロキシサーバ１を含むネットワークシステムの概略構成図である。
【図２】図２は、本発明の一実施の形態に係るプロキシサーバ１の機能構成図である。
【図３】図３（Ａ）は、情報端末記憶部１０５の登録内容例を模式的に表した図であり、図３（Ｂ）は、メールアドレス記憶部１０６の登録内容例を模式的に表した図である。
【図４】図４（Ａ）、（Ｂ）は、モニタ付室内親機２１から取得した特定映像信号の、ホームネットワークサーバ３１から取得した映像データへの挿入例を説明するための図である。
【図５】図５は、本発明の一実施の形態に係るプロキシサーバ１による、モニタ付室内親機２１から取得した映像信号の配信処理を説明するためのフロー図である。
【図６】図６（Ａ）は、イベント「室外子機呼出し」発生時における、図１に示すネットワークシステムの第一の動作例を説明するための図であり、図６（Ｂ）は、その第二の動作例を説明するための図である。
【発明を実施するための形態】
【００１３】
以下に、本発明の実施の形態について説明する。
【００１４】
図１は、本発明の一実施の形態に係るプロキシサーバ１を含むネットワークシステムの概略構成図である。
【００１５】
図１において、テレビインターホンシステム２は、モニタ付室内親機２１と、カメラ付室外子機２２と、モニタなし室内子機２３と、防災センサ２４と、防犯センサ２５と、防災カメラ２６と、防犯カメラ２７と、これらの各装置２１〜２７を相互接続する独自ネットワーク２８と、を有する。
【００１６】
モニタ付室内親機２１は、カメラ付室外子機２２からの呼出し信号の受信に対してユーザが応答すると、カメラ付室外子機２２に応答信号を送信し、カメラ付室外子機２２との音声通話を開始するとともに、カメラ付室外子機２２の撮像信号を受信し表示する。
【００１７】
また、モニタ付室内親機２１は、モニタなし室内子機２３からの呼出し信号の受信に対してユーザが応答すると、モニタなし室内子機２３に応答信号を送信し、モニタなし室内子機２３との音声通話を開始する。
【００１８】
また、モニタ付室内親機２１は、モニタなし室内子機２３への呼出し信号の送信に対して、モニタなし室内子機２３からの応答信号を受信すると、モニタなし室内子機２３との音声通話を開始する。
【００１９】
また、モニタ付室内親機２１は、熱・煙の発生を検知する防災センサ２４からの検知信号の受信に対して、防災センサ２４の近傍に設置された防災カメラ２６に要求信号を送信し、防災カメラ２６の撮像信号を受信して表示する。
【００２０】
また、モニタ付室内親機２１は、不審者の侵入を検知する防犯センサ２５からの検知信号の受信に対して、防犯センサ２５の近傍に設置された防犯カメラ２７に要求信号を送信し、防犯カメラ２７の撮像信号を受信して表示する。
【００２１】
また、モニタ付室内親機２１は、図示していないが、各装置２２〜２７と送受する呼出し信号、検知信号、応答信号、および要求信号（以下、これらの信号を通知情報と呼ぶ）を外部出力するためのＲＳ−２３２Ｃ等の制御信号用端子と、各装置２２、２６、２７から受信した撮像信号（以下、特定映像信号）を外部出力するためのＲＣＡ端子等の映像信号用端子と、を備えている。
【００２２】
また、図１において、ホームネットワークシステム３は、映像データ（以下、映像コンテンツ）を配信するＤＬＮＡ（Ｄｉｇｉｔａｌ  Ｌｉｖｉｎｇ  Ｎｅｔｗｏｒｋ  Ａｌｌｉａｎｃｅ）サーバ等のホームネットワークサーバ３１と、ホームネットワークサーバ３１から映像コンテンツを取得して表示するＤＬＮＡクライアント等の情報端末であるテレビ３２、デジタルフォトフレーム３３、およびＰＣ（パーソナルコンピュータ）３４と、ホームネットワークサーバ３１および情報端末３２〜３４を相互接続するＬＡＮ３５と、ＬＡＮ３５をＷＡＮ４に接続するゲートウェイ（ＧＷ）３６と、を有する。ここで、ＷＡＮ４には、基地局５を介して携帯電話６が接続される。
【００２３】
そして、図１において、本実施の形態に係るプロキシサーバ１は、ホームネットワークシステム３のＬＡＮ３５に接続され、ホームネットワークサーバ３１のプロキシサーバとして機能する。すなわち、情報端末３２〜３４からの配信要求に従い、ホームネットワークサーバ３１にアクセスして、ホームネットワークサーバ３１から映像コンテンツを取得し、取得した映像コンテンツを配信要求元の情報端末３２〜３４に配信する。
【００２４】
また、プロキシサーバ１は、テレビインターホンシステム２のモニタ付室内親機２１から出力された通知情報に従いイベントを監視する。そして、所定のいずれかのイベントの発生を検知したならば、モニタ付室内親機２１から出力された特定映像信号を取得するとともに、ホームネットワークサーバ３１から取得した情報端末３２〜３４に配信中の映像コンテンツに、この特定映像信号を挿入する。また、発生したイベントの終了を検知したならば、映像コンテンツへの特定映像信号の挿入を終了する。
【００２５】
図２は、本発明の一実施の形態に係るプロキシサーバ１の機能構成図である。
【００２６】
図示するように、プロキシサーバ１は、ＬＡＮインターフェース部１０１と、通知情報受信部１０２と、映像信号受信部１０３と、プロキシサーバ処理部１０４と、情報端末記憶部１０５と、メールアドレス記憶部１０６と、イベント監視部１０７と、映像信号取得部１０８と、配信先判定部１０９と、画像変換部１１０と、電子メールクライアント処理部１１１と、画像挿入部１１２と、を有する。
【００２７】
ＬＡＮインターフェース部１０１は、ＬＡＮ３５に接続するためのインターフェースである。
【００２８】
通知情報受信部１０２は、モニタ付室内親機２１から出力される通知情報を受信するためのＲＳ−２３２Ｃ等の制御信号用端子である。
【００２９】
映像信号受信部１０３は、モニタ付室内親機２１から出力される特定映像信号を受信するためのＲＣＡ端子等の映像信号用端子である。
【００３０】
プロキシサーバ処理部１０４は、ホームネットワークサーバ３１のプロキシサーバとして必要な処理を行う。具体的には、ＬＡＮインターフェース部１０１を介して情報端末３２〜３４から受け付けた配信要求に従い、ＬＡＮインターフェース部１０１を介してホームネットワークサーバ３１にアクセスして、ホームネットワークサーバ３１から映像コンテンツを取得する。そして、取得した映像コンテンツを画像挿入部１１２およびＬＡＮインターフェース部１０１経由で配信要求元の情報端末３２〜３４に配信する。
【００３１】
また、プロキシサーバ処理部１０４は、情報端末３２〜３４への映像コンテンツの配信状態に基づいて情報端末記憶部１０５を更新する。
【００３２】
情報端末記憶部１０５は、ホームネットワークシステム３に属する情報端末３２〜３４各々の情報が記憶される。図３（Ａ）は、情報端末記憶部１０５の登録内容例を模式的に表した図である。
【００３３】
図示するように、情報端末記憶部１０５には、ホームネットワークシステム３に属するそれぞれの情報端末３２〜３４についてレコード１０５０が登録されている。レコード１０５０は、対象となる情報端末３２〜３４のアドレスが登録されたフィールド１０５１と、この情報端末３２〜３４の端末種別（テレビ、デジタルフォトフレーム、ＰＣ等）が登録されたフィールド１０５２と、この情報端末３２〜３４に対する映像コンテンツの配信形式（動画配信、スライド配信等）が登録されたフィールド１０５３と、この情報端末３２〜３４の特定映像信号の配信先としての優先度が登録されたフィールド１０５４と、この情報端末３２〜３４に映像コンテンツを配信中であるか否かを示す配信状態が登録されるフィールド１０５５と、この情報端末３２〜３４に対する特定映像信号の配信条件となるイベントを管理するためのフィールド１０５６と、を有する。
【００３４】
ここで、フィールド１０５５は、対象となる情報端末３２〜３４への映像コンテンツの配信状態が変化する都度、プロキシサーバ処理部１０４により更新される。また、フィールド１０５６は、通知情報により特定されるイベントが「室外子機呼出し」である場合に、対象となる情報端末３２〜３４に特定映像信号を配信すべきか否かが登録されたサブフィールド１０５６１と、通知情報により特定されるイベントが「室内子機呼出し」である場合に、対象となる情報端末３２〜３４に特定映像信号を配信すべきか否かが登録されたサブフィールド１０５６２と、通知情報により特定されるイベントが「防災検知」である場合に、対象となる情報端末３２〜３４に特定映像信号を配信すべきか否かが登録されたサブフィールド１０５６３と、通知情報により特定されるイベントが「防犯検知」である場合に、対象となる情報端末３２〜３４に特定映像信号を配信すべきか否かが登録されたサブフィールド１０５６４と、を有する。
【００３５】
メールアドレス記憶部１０６には、特定映像信号のメール配信先の情報が記憶される。図３（Ｂ）は、メールアドレス記憶部１０６の登録内容例を模式的に表した図である。
【００３６】
図示するように、メールアドレス記憶部１０６には、特定映像信号のメール配信先についてのレコード１０６０が登録されている。レコード１０６０は、メール配信先のメールアドレスが登録されたフィールド１０６１と、メール配信先の端末種別（ＰＣ、携帯電話等）が登録されたフィールド１０６２と、メール配信先に対する特定映像信号のメール配信条件となるイベントを管理するためのフィールド１０６３と、を有する。
【００３７】
ここで、フィールド１０６３は、通知情報により特定されるイベントが「室外子機呼出し」である場合に、メール配信先に特定映像信号をメール配信すべきか否かが登録されたサブフィールド１０６３１と、通知情報により特定されるイベントが「室内子機呼出し」である場合に、メール配信先に特定映像信号をメール配信すべきか否かが登録されたサブフィールド１０６３２と、通知情報により特定されるイベントが「防災検知」である場合に、メール配信先に特定映像信号をメール配信すべきか否かが登録されたサブフィールド１０６３３と、通知情報により特定されるイベントが「防犯検知」である場合に、メール配信先に特定映像信号をメール配信すべきか否かが登録されたサブフィールド１０６３４と、を有する。
【００３８】
イベント監視部１０７は、通知情報受信部１０２によりモニタ付室内親機２１から受信した通知情報に基づいて特定映像信号の配信条件となるイベントの発生・終了を監視する。
【００３９】
具体的には、カメラ付室外子機２２からの呼出し信号を受信後、所定時間（例えば３０秒）以内にモニタ付室内親機２１あるいはモニタなし室内子機２３からの応答信号を受信しなかった場合に、イベント「室外子機呼出し」が発生したものと判断する。その後、モニタ付室内親機２１あるいはモニタなし室内子機２３からの応答信号を受信した場合に、イベント「室外子機呼出し」が終了したものと判断する。
【００４０】
また、モニタなし室内子機２３からの呼出し信号を受信後、所定時間（例えば３０秒）以内にモニタ付室内親機２１からの応答信号を受信しなかった場合に、イベント「室内子機呼出し」が発生したものと判断する。その後、モニタ付室内親機２１からの応答信号を受信した場合に、イベント「室内子機呼出し」が終了したものと判断する。
【００４１】
また、防災センサ２４からの検知信号を受信した場合に、イベント「防災検知」が発生したものと判断する。その後、モニタ付室内親機２１あるいはモニタなし室内子機２３からの応答信号を受信した場合に、イベント「防災検知」が終了したものと判断する。
【００４２】
また、防犯センサ２５からの検知信号を受信した場合に、イベント「防犯検知」が発生したものと判断する。その後、モニタ付室内親機２１あるいはモニタなし室内子機２３からの応答信号を受信した場合に、イベント「防犯検知」が終了したものと判断する。
【００４３】
映像信号取得部１０８は、イベント監視部１０７によりイベントの発生が検出されると、映像信号受信部１０３を介してモニタ付室内親機２１から特定映像信号の取得を開始する。また、このイベントの終了がイベント監視部１０７により検知されると、特定映像信号の取得を終了する。
【００４４】
配信先判定部１０９は、イベント監視部１０７によりイベントの発生が検出されると、検出されたイベントと、情報端末記憶部１０５およびメールアドレス記憶部１０６の登録内容とに基づいて、映像信号取得部１０８が取得した特定映像信号の配信先を決定する。
【００４５】
具体的には、イベント監視部１０７によりイベント「室外子機呼出し」の発生が検出された場合、特定映像信号を配信すべき旨の情報がサブフィールド１０５６１に登録され、かつ「配信中」がフィールド１０５５に登録されたレコード１０５０を情報端末記憶部１０５から検索する。そして、検索にヒットしたレコード１０５０があるならば、これらのレコード１０５０のなかで、フィールド１０５４に登録されている優先度が最も高いレコード１０５０により特定される情報端末３２〜３４を特定映像信号の配信先に決定し、このレコード１０５０のフィールド１０５１〜１０５３に登録されているアドレス、端末種別、および配信形式を画像変換部１１０に通知する。一方、検索にヒットしたレコード１０５０がないならば、特定映像信号をメール配信すべき旨の情報がサブフィールド１０６３１に登録されたレコード１０６０をメールアドレス記憶部１０６から検索する。そして、検索したレコード１０６０により特定される端末を特定映像信号のメール配信先に決定して、このレコード１０６０のフィールド１０６１、１０６２に登録されているメールアドレスおよび端末種別を画像変換部１１０に通知する。
【００４６】
同様に、イベント監視部１０７によりイベント「室内子機呼出し」の発生が検出された場合、特定映像信号を配信すべき旨の情報がサブフィールド１０５６２に登録され、かつ「配信中」がフィールド１０５５に登録されたレコード１０５０を情報端末記憶部１０５から検索する。そして、検索にヒットしたレコード１０５０があるならば、これらのレコード１０５０のなかで、フィールド１０５４に登録されている優先度が最も高いレコード１０５０により特定される情報端末３２〜３４を特定映像信号の配信先に決定し、このレコード１０５０のフィールド１０５１〜１０５３に登録されているアドレス、端末種別、および配信形式を画像変換部１１０に通知する。一方、検索にヒットしたレコード１０５０がないならば、特定映像信号をメール配信すべき旨の情報がサブフィールド１０６３２に登録されたレコード１０６０をメールアドレス記憶部１０６から検索する。そして、検索したレコード１０６０により特定される端末を特定映像信号のメール配信先に決定して、このレコード１０６０のフィールド１０６１、１０６２に登録されているメールアドレスおよび端末種別を画像変換部１１０に通知する。
【００４７】
また、イベント監視部１０７によりイベント「防災検知」の発生が検出された場合、特定映像信号を配信すべき旨の情報がサブフィールド１０５６３に登録され、かつ「配信中」がフィールド１０５５に登録されたレコード１０５０を情報端末記憶部１０５から検索する。そして、検索したレコード１０５０により特定されるすべての情報端末３２〜３４を特定映像信号の配信先に決定し、これらのレコード１０５０のフィールド１０５１〜１０５３に登録されているアドレス、端末種別、および配信形式を画像変換部１１０に通知する。また、特定映像信号をメール配信すべき旨の情報がサブフィールド１０６３３に登録されたレコード１０６０をメールアドレス記憶部１０６から検索する。そして、検索したレコード１０６０により特定されるすべての端末を特定映像信号のメール配信先に決定して、これらのレコード１０６０のフィールド１０６１、１０６２に登録されているメールアドレスを画像変換部１１０に通知する。
【００４８】
同様に、イベント監視部１０７によりイベント「防犯検知」の発生が検出された場合、特定映像信号を配信すべき旨の情報がサブフィールド１０５６４に登録され、かつ「配信中」がフィールド１０５５に登録されたレコード１０５０を情報端末記憶部１０５から検索する。そして、検索したレコード１０５０により特定されるすべての情報端末３２〜３４を特定映像信号の配信先に決定し、これらのレコード１０５０のフィールド１０５１〜１０５３に登録されているアドレス、端末種別、および配信形式を画像変換部１１０に通知する。また、特定映像信号をメール配信すべき旨の情報がサブフィールド１０６３４に登録されたレコード１０６０をメールアドレス記憶部１０６から検索する。そして、検索したレコード１０６０により特定されるすべての端末を特定映像信号のメール配信先に決定して、これらのレコード１０６０のフィールド１０６１、１０６２に登録されているメールアドレスおよび端末種別を画像変換部１１０に通知する。
【００４９】
画像変換部１１０は、配信先判定部１０９から配信先の情報端末３２〜３４のアドレス、端末種別、および配信形式が通知された場合に、映像信号取得部１０８が取得した特定映像信号を、配信形式に応じた映像データに変換し、この変換後の映像データを、配信先のアドレスおよび端末種別とともに画像挿入部１１２に出力する。
【００５０】
例えば、配信形式が「動画配信」の場合、特定映像信号を所定ビットレートの動画データに変換し、この動画データを、配信先のアドレスおよび端末種別とともに画像挿入部１１２に出力する。また、配信形式が「スライド配信」の場合、特定映像信号が表す動画データを所定インターバルでサンプリングしてスライド画像データに変換し、このスライド画像データを、配信先のアドレスおよび端末種別とともに画像挿入部１１２に出力する。
【００５１】
また、画像変換部１１０は、配信先判定部１０９からメール配信先のメールアドレスおよび端末種別が通知された場合に、映像信号取得部１０８が取得した特定映像信号が表す動画データから、端末種別に応じた画像サイズの静止画データを生成し、この静止画データを、メール配信先のメールアドレスとともに電子メールクライアント処理部１１１に出力する。
【００５２】
電子メールクライアント処理部１１１は、画像変換部１１０から静止画データがメールアドレスとともに通知された場合に、この静止画データが添付された電子メールを作成し、この電子メールを、ＬＡＮインターフェース部１０１を介して、このメールアドレスにより特定されるメール配信先の端末に送信する。
【００５３】
画像挿入部１１２は、画像変換部１１０から映像データがアドレスおよび端末種別とともに通知された場合に、この端末種別に応じた方法により、プロキシサーバ処理部１０４がこのアドレスにより特定される情報端末３２〜３４に配信中の映像コンテンツに、この映像データを挿入する。
【００５４】
例えば、端末種別が「テレビ」あるいは「ＰＣ］である場合、図４（Ａ）に示すように、プロキシサーバ処理部１０４が配信中の映像コンテンツ（動画データ）の表示画面１１２０上にウインドウ１１２１を設け、このウインドウ１１２１内に、画像変換部１１０から通知された映像データ（動画データ）を表示するように、プロキシサーバ処理部１０４が配信中の映像コンテンツと画像変換部１１０から通知された映像データとを合成する。
【００５５】
また、端末種別が「デジタルフォトフレーム」である場合、図４（Ｂ）に示すように、プロキシサーバ処理部１０４が配信中の映像コンテンツ（スライド画像データ）１１２２を、画像変換部１１０から通知された映像データ（スライド画像データ）１１２３に置き換える。
【００５６】
図５は、本発明の一実施の形態に係るプロキシサーバ１による、モニタ付室内親機２１から取得した映像信号の配信処理を説明するためのフロー図である。このフローは、イベント監視部１０７が特定映像信号の配信条件となるイベントの発生を検出することにより開始される。
【００５７】
まず、イベント監視部１０７は、発生したイベントを配信先判定部１０９に通知する。これを受けて、配信先判定部１０９は、発生したイベントが「室外子機呼出し」および「室内子機呼出し」のいずれかである場合（Ｓ１００で「各種呼出し」）、Ｓ１０１に進む。一方、発生したイベントが「防災検知」および「防犯検知」のいずれかである場合（Ｓ１００で「各種検知」）、Ｓ１１１に進む。
【００５８】
Ｓ１０１において、配信先判定部１０９は、映像コンテンツを配信中の情報端末３２〜３４のなかに、発生したイベントに対応する情報端末３２〜３４（以下、該当端末）があるか否かを判断する。具体的には、配信先判定部１０９は、発生したイベントに対応するサブフィールド１０５６１、１０５６２に、特定映像信号を配信すべき旨の情報が登録され、かつフィールド１０５５に「配信中」が登録されたレコード１０５０を情報端末記憶部１０５から検索する。検索にヒットしたレコード１０５０があるならば（Ｓ１０１でＹＥＳ）、配信先判定部１０９は、該当端末が存在すると判断し、これらのレコード１０５０のなかから、フィールド１０５４に登録されている優先度が最も高いレコード１０５０により特定される情報端末３２〜３４を特定映像信号の配信先に決定する（Ｓ１０２）。そして、決定したレコード１０５０各々のフィールド１０５１〜１０５３に登録されているアドレス、端末種別、および配信形式を画像変換部１１０に通知する。
【００５９】
これを受けて、画像変換部１１０は、映像信号受信部１０３を介して映像信号取得部１０８により取得された特定映像信号を、特定映像信号の配信先毎に、対応する配信先の配信形式に応じた映像データに変換し、この変換後の映像データを、対応する配信先のアドレスおよび端末種別とともに画像挿入部１１２に出力する（Ｓ１０３）。
【００６０】
これを受けて、画像挿入部１１２は、画像変換部１１０から受け取った映像データを、この映像データとともに受け取った端末種別に応じた方法により、この映像データとともに受け取ったアドレスにより特定される情報端末３２〜３４に配信中の映像コンテンツに挿入する（Ｓ１０４）。その後、Ｓ１１８に進む。
【００６１】
一方、Ｓ１０１において、検索にヒットしたレコード１０５０がないならば（Ｓ１０１でＮＯ）、配信先判定部１０９は、該当端末が存在しないと判断し、発生したイベントに対応するメール配信先があるか否かを判断する（Ｓ１０５）。具体的には、配信先判定部１０９は、発生したイベントに対応するサブフィールド１０６３１、１０６３２に、特定映像信号をメール配信すべき旨の情報が登録されたレコード１０６０を、メールアドレス記憶部１０６から検索する。
【００６２】
検索にヒットしたレコード１０６０がないならば（Ｓ１０５でＮＯ）、配信先判定部１０９は、発生したイベントに対応するメール配信先がないと判断し、本フローを終了する。
【００６３】
検索にヒットしたレコード１０６０があるならば（Ｓ１０５でＹＥＳ）、配信先判定部１０９は、発生したイベントに対応するメール配信先があると判断し、これらのレコード１０６０により特定される端末を特定映像信号のメール配信先に決定する。そして、決定したレコード１０６０各々のフィールド１０６１、１０６２に登録されているメールアドレスおよび端末種別を画像変換部１１０に通知する。
【００６４】
これを受けて、画像変換部１１０は、特定映像信号のメール配信先毎に、映像信号受信部１０３を介して映像信号取得部１０８により取得された特定映像信号が表す動画データから、対応するメール配信先の端末種別に応じた画像サイズの静止画データを生成し、この静止画データを、対応するメール配信先のメールアドレスとともに電子メールクライアント処理部１１１に出力する（Ｓ１０６）。
【００６５】
これを受けて、電子メールクライアント処理部１１１は、画像変換部１１０から受け取った静止画データ毎に、静止画データが添付された電子メールを作成する。そして、この静止画データとともに受け取ったメールアドレスにより特定されるメール配信先の端末に、作成した電子メールを送信して（Ｓ１０７）、このフローを終了する。
【００６６】
また、Ｓ１１１において、配信先判定部１０９は、発生したイベントに対応するメール配信先があるか否かを判断する。具体的には、配信先判定部１０９は、発生したイベントに対応するサブフィールド１０６３３、１０６３４に、特定映像信号をメール配信すべき旨の情報が登録されたレコード１０６０を、メールアドレス記憶部１０６から検索する（Ｓ１１１）。
【００６７】
検索にヒットしたレコード１０６０がないならば（Ｓ１１１でＮＯ）、配信先判定部１０９は、発生したイベントに対応するメール配信先がないと判断し、Ｓ１１４に進む。
【００６８】
一方、検索にヒットしたレコード１０６０があるならば（Ｓ１１１でＹＥＳ）、配信先判定部１０９は、発生したイベントに対応するメール配信先があると判断し、これらのレコード１０６０により特定される端末を特定映像信号のメール配信先に決定し、決定したレコード１０６０各々のフィールド１０６１、１０６２に登録されているメールアドレスおよび端末種別を画像変換部１１０に通知する。
【００６９】
これを受けて、画像変換部１１０は、特定映像信号のメール配信先毎に、映像信号受信部１０３を介して映像信号取得部１０８により取得された特定映像信号が表す動画データから、対応するメール配信先の端末種別に応じた画像サイズの静止画データを生成し、この静止画データを、対応するメール配信先のメールアドレスとともに電子メールクライアント処理部１１１に出力する（Ｓ１１２）。
【００７０】
これを受けて、電子メールクライアント処理部１１１は、画像変換部１１０から受け取った静止画データ毎に、静止画データが添付された電子メールを作成し、この電子メールを、ＬＡＮインターフェース部１０１を介して、この静止画データとともに受け取ったメールアドレスにより特定されるメール配信先の端末に送信する（Ｓ１１３）。その後、Ｓ１１４に進む。
【００７１】
つぎに、Ｓ１１４において、配信先判定部１０９は、映像コンテンツを配信中の情報端末３２〜３４のなかに該当端末があるか否かを判断する。具体的には、配信先判定部１０９は、発生したイベントに対応するサブフィールド１０５６３、１０５６４に、特定映像信号を配信すべき旨の情報が登録され、かつフィールド１０５５に「配信中」が登録されたレコード１０５０を情報端末記憶部１０５から検索する。
【００７２】
検索にヒットしたレコード１０５０がないならば（Ｓ１１４でＮＯ）、配信先判定部１０９は、該当端末がないと判断し、このフローを終了する。
【００７３】
一方、検索にヒットしたレコード１０５０があるならば（Ｓ１１４でＹＥＳ）、配信先判定部１０９は、該当端末があると判断し、これらのレコード１０５０のなかから、フィールド１０５４に登録されている優先度が最も高いレコード１０５０により特定される情報端末３２〜３４を特定映像信号の配信先に決定する（Ｓ１１５）。そして、決定したレコード１０５０各々のフィールド１０５１〜１０５３に登録されているアドレス、端末種別、および配信形式を画像変換部１１０に通知する。
【００７４】
これを受けて、画像変換部１１０は、映像信号受信部１０３を介して映像信号取得部１０８により取得された特定映像信号を、それぞれ特定映像信号の配信先毎に、対応する配信先の配信形式に応じた映像データに変換し、この変換後の映像データを、対応する配信先のアドレスおよび端末種別とともに画像挿入部１１２に出力する（Ｓ１１６）。
【００７５】
これを受けて、画像挿入部１１２は、画像変換部１１０から受け取った映像データを、この映像データとともに受け取った端末種別に応じた方法により、この映像データとともに受け取ったアドレスにより特定される情報端末３２〜３４に配信中の映像コンテンツに挿入する（Ｓ１１７）。その後、Ｓ１１８に進む。
【００７６】
つぎに、Ｓ１１８において、イベント監視部１０７は、通知情報受信部１０２により受信した通知情報に基づいて、発生したイベントの終了を監視する。そして、イベントが終了したならば（Ｓ１１８でＹＥＳ）、イベントの終了を配信先判定部１０９に通知する。
【００７７】
これを受けて、配信先判定部１０９は、画像変換部１１０および画像挿入部１１２と連携し、映像コンテンツへの特定映像信号の挿入を停止して（Ｓ１１９）、このフローを終了する。
【００７８】
つぎに、図１に示すネットワークシステムの動作例を説明する。
【００７９】
図６（Ａ）は、イベント「室外子機呼出し」発生時における、図１に示すネットワークシステムの第一の動作例を説明するための図である。
【００８０】
プロキシサーバ１は、テレビ３２からの配信要求に従い、ホームネットワークサーバ３１から映像コンテンツを取得し、この映像コンテンツをテレビ３２に配信しているものとする（Ｓ２０１）。
【００８１】
ここで、訪問客によってカメラ付室外子機２２が操作され、カメラ付室外子機２２からモニタ付室内親機２１へ呼出し信号および撮像信号が送信されると（Ｓ２０２）、モニタ付室内親機２１は、カメラ付室外子機２２の呼出し信号を通知情報としてプロキシサーバ１に送信するとともに（Ｓ２０３）、カメラ付室外子機２２の撮像信号を特定映像信号としてプロキシサーバ１に送信する（Ｓ２０４）。
【００８２】
プロキシサーバ１は、通知情報「カメラ付室外子機２２からの呼出し信号」を受信してから所定時間ｔが経過するまでに通知情報「モニタ付室内親機２１の応答信号」を受信しなかった場合、イベント「室外子機呼出し」の発生を検知する（Ｓ２０５）。そして、ホームネットワークサーバ３１から取得してテレビ３２に配信中の映像コンテンツに、モニタ付室内親機２１から取得した特定映像信号を挿入する。これにより、訪問客の映像をテレビ３２に表示させる（Ｓ２０６）。
【００８３】
その後、ユーザによってモニタ付室内親機２１が操作され、モニタ付室内親機２１からカメラ付室外子機２２へ応答信号が送信されると（Ｓ２０７）、モニタ付室内親機２１は、この応答信号を通知情報としてプロキシサーバ１に送信するとともに（Ｓ２０８）、カメラ付室外子機２２との音声通話およびカメラ付室外子機２２により撮像された訪問客の映像の表示を開始する（Ｓ２０９）。
【００８４】
一方、プロキシサーバ１は、通知情報「モニタ付室内親機２１の応答信号」を受信すると、イベント「室外子機呼出し」の終了を検知する（Ｓ２１０）。そして、ホームネットワークサーバ３１から取得してテレビ３２に配信中の映像コンテンツへの、モニタ付室内親機２１から取得した特定映像信号の挿入を終了する。これにより、テレビ３２へ訪問客の映像表示を終了させる（Ｓ２１１）。
【００８５】
図６（Ｂ）は、イベント「室外子機呼出し」発生時における、図１に示すネットワークシステムの第二の動作例を説明するための図である。
【００８６】
プロキシサーバ１は、ホームネットワークサーバ３１の映像コンテンツをいずれの情報端末３２〜３４にも配信していないものとする。
【００８７】
ここで、訪問客によってカメラ付室外子機２２が操作され、カメラ付室外子機２２からモニタ付室内親機２１へ呼出し信号および撮像信号が送信されると（Ｓ２２１）、モニタ付室内親機２１は、カメラ付室外子機２２の呼出し信号を通知情報としてプロキシサーバ１に送信するとともに（Ｓ２２２）、カメラ付室外子機２２の撮像信号を特定映像信号としてプロキシサーバ１に送信する（Ｓ２２３）。
【００８８】
プロキシサーバ１は、通知情報「カメラ付室外子機２２からの呼出し信号」を受信してから所定時間ｔが経過するまでに通知情報「モニタ付室内親機２１の応答信号」を受信しなかった場合、イベント「室外子機呼出し」の発生を検知する（Ｓ２２４）。このとき、プロキシサーバ１は、ホームネットワークサーバ３１の映像コンテンツをいずれの情報端末３２〜３４にも配信していないので、特定映像信号から生成した画像データが添付された電子メールを作成し（Ｓ２２５）、この電子メールを、室外子機からの呼出しにユーザが応答しない場合のメール配信先として予め登録されている携帯電話６に送信する（Ｓ２２６）。これにより、携帯電話６のユーザは、訪問客の映像を確認することができる。
【００８９】
以上、本発明の一実施の形態を説明した。
【００９０】
本実施の形態のプロキシサーバ１は、モニタ付室内親機２１から受信した通知情報に従ってイベントの発生を監視する。そして、所定のいずれかのイベントが発生したならば、情報端末３２〜３４に配信中の映像コンテンツに、モニタ付室内親機２１から取得した特定映像信号を挿入する。したがって、本実施の形態によれば、カメラ付室外子機２２による呼出し、防犯センサ２５による異常検出等の所定のイベントが発生した場合に、ホームネットワークサーバ３１とは別の画像リソースであるモニタ付室内親機２１から取得した特定映像信号を、ホームネットワークサーバ３１から取得した映像コンテンツを配信中の情報端末３２〜３４に表示させることができる。
【００９１】
また、本実施の形態のプロキシサーバ１は、情報端末３２〜３４毎に、特定映像信号の配信条件となるイベントの情報が記憶された情報端末記憶部１０５を有する。そして、所定のいずれかのイベントが発生した場合に、情報端末記憶部１０５を参照し、発生したイベントに対応付けられている情報端末３２〜３４に配信中の映像コンテンツに、モニタ付室内親機２１から取得した特定映像信号を挿入する。したがって、本実施の形態によれば、特定映像信号を表示させる情報端末３２〜３４をイベント毎に異ならせることができ、使い勝手が向上する。
【００９２】
また、本実施の形態のプロキシサーバ１は、モニタ付室内親機２１から受信した通知情報に従ってイベントの終了を監視する。そして、所定のいずれかのイベントが終了したならば、映像コンテンツへの特定映像信号の挿入を終了する。したがって、本実施の形態によれば、イベント終了後も、映像コンテンツを配信中の情報端末３２〜３４に特定映像信号が表示され続けてしまうのを防止できる。
【００９３】
また、本実施の形態のプロキシサーバ１は、所定のいずれかのイベントが発生した場合において、映像コンテンツを配信中の情報端末３２〜３４がないならば、特定映像信号から生成した映像データが添付された電子メールを生成して、この電子メールを所定のメール配信先に送信する。したがって、本実施の形態によれば、映像コンテンツを視聴中のユーザがいない場合でも、イベントの発生をユーザに通知することができる。
【００９４】
なお、本発明は上記の実施の形態に限定されるものではなく、その要旨の範囲内で数々の変形が可能である。
【００９５】
例えば、上記の実施の形態において、プロキシサーバ１は、モニタ付室内親機２１から取得した通知情報に基づいて、「室外子機呼出し」、「室内子機呼出し」、「防災検知」、および「防犯検知」のイベントを監視しているが、モニタ付室内親機２１から特定映像信号を取得する契機としてどのようなイベントを監視するかは任意に決めてよい。
【００９６】
また、上記の実施の形態において、プロキシサーバ１は、モニタ付室内親機２１から通知情報および特定映像信号を取得しているが、テレビインターホンシステム２の独自ネットワーク２８とのインターフェースを備えている場合には、独自ネットワーク２８から通知情報および特定映像信号を取得するようにしてもよい。また、プロキシサーバ１は、テレビインターホンシステム２から通知情報および特定映像信号を取得するものに限定されない。管理端末等の外部装置から取得した通知情報に従い、ホームネットワークサーバ３１とは別の映像リソースから特定映像信号を取得するものでもよい。
【００９７】
また、上記の実施の形態において、プロキシサーバ１は、ホームネットワークシステム３に属するホームネットワークサーバ３１を代理しているが、ＷＡＮ４側に設置された映像コンテンツ配信サーバを代理するものでもよい。
【００９８】
また、上記の実施の形態において、図２に示すプロキシサーバ１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、ＲＳ−２３２Ｃ、ＲＣＡ端子等の外部接続インターフェースを備えたＰＣ等のコンピュータシステムにおいて、ＣＰＵが所定のプログラムを補助記憶装置からメモリ上にロードして実行することにより実現されるものでもよい。
【符号の説明】
【００９９】
１：プロキシサーバ、２：テレビインターホンシステム、３：ホームネットワークシステム、４：ＷＡＮ、５：基地局、６：携帯電話、２１：モニタ付室内親機、２２：カメラ付室外子機、２３：モニタなし室内子機、２４：防災センサ、２５：防犯センサ、２６：防災カメラ、２７：防犯カメラ、２８：独自ネットワーク、３１：ホームネットワークサーバ、３２：テレビ（情報端末）、３３：デジタルフォトフレーム（情報端末）、３４：ＰＣ（情報端末）、３５：ＬＡＮ、３６：ゲートウェイ、１０１：ＬＡＮインターフェース部、１０２：通知情報受信部、１０３：映像信号受信部、１０４：プロキシサーバ処理部、１０５：情報端末記憶部、１０６：メールアドレス記憶部、１０７：イベント監視部、１０８：映像信号取得部、１０９：配信先判定部、１１０：画像変換部、１１１：電子メールクライアント処理部、１１２：画像挿入部
【図１】
2011188384.tif 000003
【図２】
2011188384.tif 000004
【図３】
2011188384.tif 000005
【図４】
2011188384.tif 000006
【図５】
2011188384.tif 000007
【図６】
2011188384.tif 000008